(57)【要約】【課題】持ち運びが簡単で、しかも片手で容易に切り取ることができるロールペーパーホルダーを提供する。【解決手段】所定間隔にミシン目ｍが入ったロールペーパー１ａのロール１を箱体１１に収容し、ガイド部材１２に形成されたロールペーパーの取出口１２ａに、ロールペーパー１ａの先端を挿通して箱体１１に入れる。取出口から出ているロールペーパー１ａの先端を引き出し、開口の縁部にミシン目ｍを重ね、引き出した方向と直交する方向に引くことで、ミシン目ｍの一端を破断し、引き続き他端側へと破断を進め、切り取ることができる。この作業は片手でできる。また、作業中、箱体は滑止部材１３で動かないように保持されている。【選択図】        図１
2004182287.tif 000002
【特許請求の範囲】
【請求項１】
所定間隔にミシン目（ｍ）が入りロール状に巻かれたロールペーパー（１ａ）のロール（１）を収容する箱体（１１）と、該箱体（１１）内に収容されロールペーパーの取出口（１２ａ）を有するガイド部材（１２）と、上記箱体を平面上で滑らないように保持する滑止部材（１３）と、を有することを特徴とするロールペーパーホルダー。
【請求項２】
上記ロール（１）から引き出されたロールペーパー（１ａ）が通過する箱体の開口縁部に薄肉縁部（１１ｂ）を形成したことを特徴とする請求項１記載のロールペーパーホルダー。
【請求項３】
上記開口縁部が粗面であることを特徴とする請求項１又は２記載のロールペーパーホルダー。
【発明の詳細な説明】
【０００１】
【発明が属する技術分野】
本発明は、キッチンペーパーなどのホルダーに関し、ペーパーを取り出し易く、しかも、持ち運び自由なロールペーパーホルダーに関する。
【０００２】
【従来の技術】
キッチンペーパー等のロールペーパーは、台所では勿論、たとえば、各種工場でウエス代わりに用いたり、自動車内に常備しておいて、車内の掃除に用いたりする等、多様な用途に利用可能である。このようなことから、ロールペーパーを１カ所に据え置くのではなく、持ち運んで使用できるようにすると都合がよい。
【０００３】
従来のロールペーパーは、一定の長さでミシン目を入れた長尺のものを、ロール状に巻いた形態のものが主体である。このロール１を、図５に示すように台所の壁等に固定された支持具２に水平に取り付け、ロール１の端からロールペーパーを引き出し、切り取り棒３にミシン目のところを当てて切り取って使用する。
【０００４】
或いは、図６に示すように、円板５の中心に立てられた棒６にロール１を垂直に差し込んで、ロール１の端からロールペーパーを引き出し、垂直な切り取り棒７にミシン目のところを当てて切り取って使用する。
【０００５】
【発明が解決しようとする課題】
しかし、図５のものは、支持具２を壁に固定するので持ち運んで使用することができない。また、切り取り棒３にミシン目を当てて切り取るのであるが、ロール１が小さくなると、片手で切り取るのが難しくなり、一方の手でロール１を押さえ、他方の手で切り取るようにしなければならない。
【０００６】
図６のものは、持ち運びは可能であるが、ロール１が露出しているので、ロールペーパーが汚れ易く、持ち運びには不適格であった。また、ロールペーパーを切り取るには、図５の場合と同じくロール１が小さくなると片手では切り取りが困難で、両手を使って切り取っている。
【０００７】
本発明は、このような事実から考えられたもので、持ち運びが簡単で、しかも片手で容易に切り取ることができるロールペーパーホルダーを提供することを目的としている。
【０００８】
【課題を解決するための手段】
上記の目的を達成するために本発明のロールペーパーホルダーは、所定間隔にミシン目が入りロール状に巻かれたロールペーパーのロールを収容する箱体と、該箱体内に収容されロールペーパーの取出口を有するガイド部材と、上記箱体を平面上で滑らないように保持する滑止部材と、を有することを特徴としている。
【０００９】
上記ロールから引き出されたロールペーパーが通過する箱体の開口縁部に薄肉縁部を形成したり、上記開口縁部が粗面である構成とすることができる。
ガイド部材が、中央付近に山形に突出した取出口を有し、この取出口の両側に翼部を設け、箱体内に斜めに収容される構成としたり、翼部の一方に錘を備えた構成とすることができる。
【００１０】
【作用】
箱体内にロールペーパーのロールを入れ、ロールペーパーの先端を取出口に挿通してからガイド部材を箱体内に入れる。取出口から出ているロールペーパーの先端を引き出し、開口縁部にミシン目を重ね、引き出した方向と直交する方向に引くことで、ミシン目の一端を破断し、引き続き他端側へと破断を進め、切り取ることができる。この作業は片手でできる。また、作業中、箱体は滑止部材で動かないように保持されている。ロールは箱体内に収容されているので、汚れにくくなる。
【００１１】
【発明の実施の形態】
以下に本発明の実施例を、図面を用いて説明する。
図１は、本発明のロールペーパーホルダーの使用状態を示す斜視図で、図２は、分解斜視図である。これらの図に示すように、本発明のロールペーパーホルダー１０は、ロールペーパー１ａのロール１が収容される箱体１１と、ガイド部材１２と、滑止部材１３とから構成される。
【００１２】
箱体１１は、上方が開口した直方体の箱である。実施例ではプラスチック製としたが、木製でも金属製でもよい。形状も直方体に限定されない。また、上面の開口縁近くに対向するスリット１１ａ，１１ａを形成し、開口を覆う蓋体１４を差し込めるようにしておく。この蓋体１４により、上部からのほこり等の侵入を防ぐことができる。ただし、この蓋体１４は必須のものではないので、蓋体１４が不要な場合には、スリット１１ａも形成しなくてもよい。また、蓋体１４を、箱体１１の上縁に蝶番で開閉自在に取り付けるようにしてもよい。蓋体１４は、ロールペーパー１ａを引き出せるように開口の全部を覆わないようにする。
【００１３】
開口の１つの縁部は、薄肉縁部１１ｂとなっている。これは引き出したロールペーパー１ａをミシン目ｍのところで破断する際に、この薄肉縁部１１ｂがあると破断し易くなるために設けられたものである。実施例では開口の縁部を楔形にしているが、段差として形成したり、薄い板を張り付けてもよい。
【００１４】
薄肉縁部１１ｂが円滑であると、ミシン目ｍと薄肉縁部１１ｂとを重ねてミシン目ｍで破断させようとしても滑ってしまい、うまく破断しない場合がある。これを防止するには、薄肉縁部１１ｂを手で触ったときザラザラと感じる程度の粗面にするとよい。この粗面には、たとえば、金属薄板に鋸歯状の凹凸を設けたようなものも含まれることとする。粗面にすることで、ミシン目ｍを引っかけ易くなり、破断を容易にすることができるようになる。
なお、薄肉縁部１１ｂを形成せずに、箱体１１の壁の厚さのままの開口縁とし、開口縁を粗面にしてもよい。
【００１５】
ガイド部材１２は、中央に山形に突出した取出口１２ａを有し、この取出口１２ａの両側で、山の裾野にあたる部分に翼部１２ｂ，１２ｂを設けた形状である。取出口１２ａは、ロールペーパー１ａを通過させるための孔である。また、両翼部１２ｂ，１２ｂの下面は同一の平面上にある。両側の翼部１２ｂ，１２ｂのうち一方の翼部１２ｂには、錘１２ｃを取り付けている。この実施例では、錘１２ｃは、ガイド部材１２をプラスチック成形した後にプラスチックのブロックを接着剤等で固定している。しかし、ガイド部材１２をプラスチック成形する際に、錘１２ｃを一方の翼部１２ｂと一体化して形成してもよい。あるいは、金属製のブロックをネジ止めなどで固定してもよい。
【００１６】
錘１２ｃを設けた目的は、ガイド部材１２に適当な重さを与えることでロールペーパー１ａを安定して引き出せるようにするためである。ガイド部材１２が軽すぎると、取出口１２ａからロールペーパー１ａを引き出したとき、ガイド部材１２がロールペーパー１ａと一緒に持ち上がって箱体１１の外に出てしまうことになる。重すぎると、ロール１が回転できなくなる。したがって、これらの中間の重さを適当に選んで決めることになる。
【００１７】
滑止部材１３は、箱体１１からロールペーパー１ａを引き出すときに、箱体１１がテーブルなどの上で滑らないように保持するためのものである。シリコーンゴム系の素材を用いた各種の滑り止めシートで、市販されているものをそのまま下に敷くか、接着して使用してもよい。箱体１１を載置する面（テーブルの面など）が磁性体であれば、滑止部材１３として永久磁石を使用することもできる等、多様なものを使用可能である。
【００１８】
図３、図４は本発明のロールペーパーホルダーの使用状態を示す図で、図１の中央断面図である。図３はロールが新品で最大径の状態、図４はロールを使い終わる直前で最小径の状態を示す。
【００１９】
図３に示すように、新品のロール１を箱体１１の中に入れ、ロールペーパー１ａの先端を解いてガイド部材１２の取出口１２ａに通してから、ガイド部材１２をロール１の上に載せる。ロール１を箱体１１内の図３における左側に寄せると、ガイド部材１２は斜めに傾斜した状態で箱体１１の右側に入る。このときガイド部材１２の錘１２ｃのある方の翼部１２ｂが上にくるようにする。ガイド部材１２の取出口１２ａの下側の先端部Ａ点が箱体１１の内壁に接し、取出口１２ａと両翼部１２ｂ，１２ｂとの境界近くの２点Ｂ，Ｃがロール１に軽く圧接した状態となる。このときガイド部材１２が垂直になると取出口１２ａ全体が箱体１１の内壁に接して塞がれてしまうので、ガイド部材１２が斜めになって取出口１２ａが塞がれないように箱体１１の大きさを決める。
【００２０】
この状態で、ロールペーパー１ａをほぼ垂直方向に引き上げると、ガイド部材１２はロールペーパー１ａに加わる張力で若干上方に持ち上げられ、Ｃ点はロール１から離れる。これによってロール１は回転可能となり、反時計方向に回ってロールペーパー１ａが引き出される。引き出されたロールペーパー１ａのミシン目ｍを薄肉縁部１１ｂの先端に重ね、ロールペーパー１ａの先端を今まで引っ張っていた解く方向とほぼ直交する方向（ロールペーパーの幅方向）に引くと、ロールペーパー１ａの左右端のいずれか一方に大きな張力が加わり、その端部のミシン目ｍのところが破断される。そのままロールペーパー１ａを引っ張れば、破断はロールペーパー１ａの他端にまで進み、結果としてミシン目ｍのところで破断してロールペーパー１ａを切り取ることができる。以上のロールペーパー１ａを引き出し、破断するまでの作業は、片手で行うことができる。破断した後のロールペーパー１ａの先端部は薄肉縁部１１ｂの近傍にあるので、つぎに使用する場合は、この端部を掴んで引き出し、次のミシン目ｍと薄肉縁部１１ｂを合わせ、上記と同様にして切り取る。
【００２１】
ロールペーパー１ａの使用を繰り返すと、やがて、ロールペーパー１ａは図４に示すように芯だけの状態に近づく。このとき、ガイド部材１２は、図３の状態から変化し、下側の翼部１２ｂの先端Ｄ点が箱体１１の角部近傍に接し、上側の翼部１２ｂはロール１上に載って翼部１２ｂの中間のＥ点と接した状態へと移行する。図４のロール１を使用する場合は、図３の場合と同様にロールペーパー１ａの先端を引っぱると、ガイド部材１２は若干持ち上げられＥ点の接触が離れ、ロール１は回転可能となり、ロール１が回転してロールペーパー１ａが引き出される。図３に示すように新品のロール１を入れ、ミシン目ｍを薄肉縁部１１ｂの先端に合わせて切断することを繰り返し、図４に示すように、ロールペーパー１ａの巻き終わりまで引き出して終了する。１つのロール１を使い切ったら、新しいロール１を入れて同様に使用する。
【００２２】
本発明のロールペーパーホルダーは、箱体、ガイド部材、錘の部分を、たとえば、無色或いは有色の透明にするとか、箱体の外側に模様を描くといった装飾を施すことで、インテリア小物として使用することができる。
【００２３】
【発明の効果】
以上に説明したように本発明のロールペーパーホルダーは、所定間隔にミシン目が入りロール状に巻かれたロールペーパーのロールを収容する箱体と、該箱体内に収容されロールペーパーの取出口を有するガイド部材と、上記箱体を平面上で滑らないように保持する滑止部材と、を有するので、持ち運び自在で、片手でロールペーパーを引き出してミシン目で切り取ることができる。
【００２４】
箱体の開口縁部に薄肉縁部を形成したり、開口縁部を粗面にすることで、ミシン目での切り取りを容易にすることができる。
【図面の簡単な説明】
【図１】本発明のロールペーパーホルダーの使用状態を示す斜視図である。
【図２】本発明のロールペーパーホルダーの分解斜視図である。
【図３】図１の中央断面図で、ロールが新品で最大径の状態を示す。
【図４】図１の中央断面図で、ロールが使い終わる直前で最小径の状態を示す。
【図５】従来のロールペーパーホルダーの図で、ロールを水平に保持するタイプの斜視図である。
【図６】従来のロールペーパーホルダーの図で、ロールを垂直に保持するタイプの斜視図である。
【符号の説明】
１      ロール
１ａ    ロールペーパー
１０    ロールペーパーホルダー
１１    箱体
１１ｂ  薄肉縁部
１２    ガイド部材
１２ａ  取出口
１２ｃ  錘
１３    滑止部材
ｍ    ミシン目
【図１】
2004182287.tif 000003
【図２】
2004182287.tif 000004
【図３】
2004182287.tif 000005
【図４】
2004182287.tif 000006
【図５】
2004182287.tif 000007
【図６】
2004182287.tif 000008